【手続補正書】
【提出日】平成21年2月16日(2009.2.16)
【手続補正１】
【補正対象書類名】特許請求の範囲
【補正対象項目名】全文
【補正方法】変更
【補正の内容】
【特許請求の範囲】
【請求項１】
パイロット基準値に対応するデータの個数を獲得し、
データバンドの個数があらかじめ設定された条件を満たす場合、前記パイロット基準値と、前記パイロット基準値に対応するパイロット差分値と、を獲得し、
前記パイロット基準値及びパイロット差分値を用いて、前記データを獲得する、
ことを特徴とする、信号処理方法。
【請求項２】
前記データが含まれたデータバンドの個数を用いて前記データの個数を獲得する、請求項１に記載の信号処理方法。
【請求項３】
データの個数を用いて、複数個のデータコーディング方式のうちの１つを決定し、
前記決定されたデータコーディング方式によって前記データをデコーディングし、
前記複数個のデータコーディング方式は、パイロットコーディング方式を含む、信号処理方法。
【請求項４】
前記データの個数があらかじめ設定された条件を満たす場合、前記データコーディング方式をパイロットコーディング方式と決定する、請求項３に記載の信号処理方法。
【請求項５】
前記データのデコーディングは、
前記複数個のデータに対応するパイロット基準値と、前記パイロット基準値に対応するパイロット差分値と、を獲得し、
前記パイロット基準値及びパイロット差分値を用いて、前記データを獲得する、請求項４に記載の信号処理方法。
【請求項６】
前記データはパラメータであり、さらに前記パラメータを用いてオーディオ信号を復元する、請求項３に記載の信号処理方法。
【請求項７】
前記パラメータの個数に対応する識別情報を受信し、
前記受信した識別情報を用いてさらに前記パラメータの個数を生成する、請求項６に記載の信号処理方法。
【請求項８】
前記データの個数を考慮しながら、さらに複数個のデータコーディング方式を表す識別情報を階層的に抽出する、請求項３に記載の信号処理方法。
【請求項９】
前記識別情報の抽出は、
第１データコーディング方式を表示する第１識別情報を抽出し、
前記第１識別情報及び前記データの個数を用いて、さらに第２データコーディング方式を表示する第２識別情報を抽出する、請求項８に記載の信号処理方法。
【請求項１０】
前記第１識別情報は、ＤＩＦＦコーディング方式か否かを表し、
前記第２識別情報は、パイロットコーディング方式か、または、ＰＣＭグルーピング方式かを表す、請求項９に記載の信号処理方法。
【請求項１１】
複数個のデータの個数があらかじめ設定された条件を満たす場合、前記複数個のデータに対応するパイロット基準値及び前記データを用いてパイロット差分値を生成し、
前記生成したパイロット差分値を転送する、
ことを特徴とする、信号処理方法。
【請求項１２】
複数個のデータの個数によって、複数個のデータコーディング方式のうちの１つを決定し、
前記決定されたデータコーディング方式によって前記データをエンコーディングし、
複数個のデータコーディング方式は、パイロットコーディング方式を含むことを特徴とする、信号処理方法。
【請求項１３】
パイロット基準値に対応するデータの個数を獲得する個数獲得部と、
前記データの個数が、あらかじめ設定された条件を満たす場合、前記パイロット基準値と、前記パイロット基準値に対応するパイロット差分値と、を獲得する値獲得部と、
前記パイロット基準値及びパイロット差分値を用いて、前記データを獲得するデータ獲得部と、
を含むことを特徴とする、信号処理装置。
【請求項１４】
複数個のデータの個数があらかじめ設定された条件を満たす場合、前記複数個のデータに対応するパイロット基準値及び前記データを用いてパイロット差分値を生成する値生成部と、
前記生成したパイロット差分値を転送する出力部と、
を含むことを特徴とする、信号処理装置。
【請求項１５】
複数個のデータの個数によって、複数個のデータコーディング方式のうちの１つを決定する方式決定部と、
前記決定されたデータコーディング方式によって前記データをエンコーディングするエンコーディング部と、を含み、
複数個のデータコーディング方式は、パイロットコーディング方式を含むことを特徴とする、信号処理装置。
【請求項１６】
複数個のデータの個数によって、複数個のデータコーディング方式のうちの１つを決定する方式決定部と、
前記決定されたデータコーディング方式によって前記データをデコーディングするデコーディング部と、を有し、
前記複数個のデータコーディング方式は、パイロットコーディング方式を含むことを特徴とする信号処理装置。
【請求項１７】
前記データの個数があらかじめ設定された条件を満たす場合、前記データコーディング方式を前記パイロットコーディング方式に決定する、請求項１６に記載の信号処理装置。
【請求項１８】
前記デコーディング部は、
複数個のデータに対応するパイロット基準値と、前記パイロット基準値に対応するパイロット差分値と、を獲得し、
前記パイロット基準値及び前記パイロット差分値を用いて前記データを獲得する、請求項１７に記載の信号処理装置。
【請求項１９】
前記データはパラメータであり、前記パラメータを用いてオーディオ信号を復元するマルチチャンネル生成部をさらに有する、請求項１６に記載の信号処理装置。
【請求項２０】
前記方式決定部は、
前記パラメータの数に対応する識別情報を受信し、
受信した前記識別情報を用いてパラメータの個数を生成する、請求項１９に記載の信号処理装置。
【請求項２１】
前記データの個数を考慮しながら、さらに複数個の前記データコーディング方式を表す識別情報を階層的に抽出する、請求項１６に記載の信号処理装置。
【請求項２２】
前記方式決定部は第１データコーディング方式を表示する第１識別情報を抽出し、
前記第１識別情報及びデータの個数を用いて、第２データコーディング方式を表示する第２識別情報を抽出する、請求項２１に記載の信号処理装置。
【請求項２３】
前記第１識別情報は、ＤＩＦＦコーディング方式か否かを表し、
前記第２識別情報は、パイロットコーディング方式か、または、ＰＣＭグルーピング方式かを表す、請求項２２に記載の信号処理装置。
【手続補正２】
【補正対象書類名】明細書
【補正対象項目名】００１０
【補正方法】変更
【補正の内容】
【００１０】
上記の目的を達成するための、本発明の信号処理方法は、パイロット基準値に対応するデータの個数を獲得し、データバンドの個数があらかじめ設定された条件を満たす場合、前記パイロット基準値と、前記パイロット基準値に対応するパイロット差分値と、を獲得し、前記パイロット基準値及びパイロット差分値を用いて、前記データを獲得する。前記データが含まれたデータバンドの個数を用いて前記データの個数を獲得する。
【手続補正３】
【補正対象書類名】明細書
【補正対象項目名】００１１
【補正方法】変更
【補正の内容】
【００１１】
上記の目的を達成するための、本発明のさらに他の信号処理方法は、データの個数を用いて、複数個のデータコーディング方式のうちの一つを決定し、前記決定されたデータコーディング方式によって前記データをデコーディングする。前記複数個のデータコーディング方式は、パイロットコーディング方式を含む。また、前記データの個数があらかじめ設定された条件を満たす場合、前記データコーディング方式をパイロットコーディング方式と決定する。
【手続補正４】
【補正対象書類名】明細書
【補正対象項目名】００１２
【補正方法】変更
【補正の内容】
【００１２】
また、前記データのデコーディングは、前記複数個のデータに対応するパイロット基準値と、前記パイロット基準値に対応するパイロット差分値と、を獲得し、前記パイロット基準値及びパイロット差分値を用いて、前記データを獲得する。
【手続補正５】
【補正対象書類名】明細書
【補正対象項目名】００１３
【補正方法】変更
【補正の内容】
【００１３】
また、前記信号処理方法は、前記データはパラメータであり、さらに前記パラメータを用いてオーディオ信号を復元する。
【手続補正６】
【補正対象書類名】明細書
【補正対象項目名】００１４
【補正方法】変更
【補正の内容】
【００１４】
また、前記信号処理方法は、前記パラメータの個数に対応する識別情報を受信し、前記受信した識別情報を用いてさらに前記パラメータの個数を生成する。また、前記データの個数を考慮しながら、さらに複数個のデータコーディング方式を表す識別情報を階層的に抽出する。
【手続補正７】
【補正対象書類名】明細書
【補正対象項目名】００１５
【補正方法】変更
【補正の内容】
【００１５】
また、前記識別情報の抽出は、第１データコーディング方式を表示する第１識別情報を抽出し、前記第１識別情報及び前記データの個数を用いて、さらに第２データコーディング方式を表示する第２識別情報を抽出する。また、前記第１識別情報は、ＤＩＦＦコーディング方式か否かを表し、前記第２識別情報は、パイロットコーディング方式か、または、ＰＣＭグルーピング方式かを表す。
【手続補正８】
【補正対象書類名】明細書
【補正対象項目名】００１６
【補正方法】変更
【補正の内容】
【００１６】
上記の目的を達成するための、本発明のさらに他の信号処理方法は、複数個のデータの個数があらかじめ設定された条件を満たす場合、前記複数個のデータに対応するパイロット基準値及び前記データを用いてパイロット差分値を生成し、前記生成したパイロット差分値を転送する。前記信号処理方法は、さらに前記パイロット基準値を転送する。
【手続補正９】
【補正対象書類名】明細書
【補正対象項目名】００１７
【補正方法】変更
【補正の内容】
【００１７】
上記の目的を達成するための、本発明のさらに他の信号処理方法は、複数個のデータコーディング方式のうちの１つを決定し、前記決定されたデータコーディング方式によって前記データをエンコーディングする。前記複数個のデータコーディング方式は、パイロットコーディング方式を含む。
【手続補正１０】
【補正対象書類名】明細書
【補正対象項目名】００１９
【補正方法】変更
【補正の内容】
【００１９】
上記の目的を達成するための、本発明のさらに他の信号処理装置は、パイロット基準値に対応するデータの個数を獲得する個数獲得部と、前記データの個数があらかじめ設定された条件を満たす場合、前記パイロット基準値と、前記パイロット基準値に対応するパイロット差分値と、を獲得する値獲得部と、前記パイロット基準値及びパイロット差分値を用いて、前記データを獲得するデータ獲得部と、を含む。
【手続補正１１】
【補正対象書類名】明細書
【補正対象項目名】００２０
【補正方法】変更
【補正の内容】
【００２０】
上記の目的を達成するための、本発明のさらに他の信号処理装置は、複数個のデータコーディング方式のうちの一つを複数個のデータの個数によって決定する方式決定部と、前記決定されたデータコーディング方式によって前記データをデコーディングするデコーディング部と、を含む。また、前記複数個のデータコーディング方式は、パイロットコーディング方式を含む。
【手続補正１２】
【補正対象書類名】明細書
【補正対象項目名】００２２
【補正方法】変更
【補正の内容】
【００２２】
上記の目的を達成するための、本発明のさらに他の信号処理装置は、データの個数によって、複数個のデータコーディング方式のうちの１つを決定する方式決定部と、前記決定されたデータコーディング方式によって前記データをエンコーディングするエンコーディング部と、を含む。前記複数個のデータコーディング方式は、パイロットコーディング方式を含む。